(57)【要約】 【課題】  二つ折り書類の製本を容易にし、折り曲げ部分における書類の厚さを均等に仕上げる。【解決手段】  横幅が２ページ分の大きさを有し、横方向中央の境界線Ｓで二つ折り可能とされた表紙２を備え、表紙２の内面２ｃにおける境界線Ｓの両側に、横幅が１ページ分より所定寸法だけ小さい複数枚の単位用紙３，３が、それらの横方向の内端縁３ｂ，３ｂを境界線Ｓより外側方向へ所定距離ｅ／２だけ離した状態で配置され、かつ内端縁３ｂ，３ｂ側部分と表紙２および内端縁３ｂ，３ｂ側部分同士を相互に糊付けして重ね合わせられると共に、横幅が２ページ分の大きさを有する幅広用紙５が、境界線Ｓの両側に配置された単位用紙３，３の上に重ね合わせられて、単位用紙３，３の内端縁部分で単位用紙に糊４，４で糊付けされ、境界線Ｓで幅広用紙５側が内側になるように二つ折りして構成される。【選択図】      図１
2005104046.tif 000002
【特許請求の範囲】
【請求項１】
横幅が２ページ分の大きさを有し、幅方向中央の境界線で二つ折り可能とされた表紙を備え、該表紙の内面における前記境界線の両側に、横幅が１ページ分より所定寸法だけ小さい複数枚の単位用紙が、それらの幅方向の内端縁を前記境界線より外側方向へ所定距離だけ離した状態で配置され、かつ前記内端縁側部分と前記表紙および内端縁側部分同士を相互に糊付けして重ね合わせられると共に、横幅が２ページ分の大きさを有する幅広用紙が、前記境界線の両側に配置された単位用紙の上に重ね合わせられて、前記単位用紙の内端縁側部分で該単位用紙に糊付けされており、前記境界線で前記幅広用紙側が内側になるように二つ折りすることにより冊子として構成されたことを特徴とする二つ折り書類。
【請求項２】
所定の横幅寸法を有する複数枚の連続用紙を個々の用紙供給手段から繰り出して、各紙面を平行にした状態で連続用紙の幅方向と直角な移送方向へ移送しながら、各連続用紙の幅方向の中央を境界線としてその両側の近接部に平行に沿った糊塗布線上において、隣接した連続用紙同士の対向面のうちのいずれか一方に糊を塗布した後に、それらを加圧して相互に接着することにより連続用紙を重ね合わせる積層工程と、該積層工程で重ね合わせてなる積層連続用紙を移送しながら前記境界線に沿って両側に２分割する分割工程と、該分割工程で分割された各積層連続用紙の内端縁間に所定間隔があくように、各積層連続用紙を移送しながらそれぞれ幅方向の外側へ移動させる幅寄せ工程と、横幅寸法が前記連続用紙のそれより所定量だけ大きくされた表紙用連続用紙を、その用紙供給手段から繰り出して、前記幅寄せ工程を経て移送された各積層連続用紙の一方側の紙面に平行にした状態で前記移送方向へ移送しながら、前記糊塗布線上において前記積層連続用紙と表紙用連続用紙の対向面のうちのいずれか一方に糊を塗布した後に、それらを加圧して相互に接着する表紙接着工程と、横幅寸法が前記表紙用連続用紙のそれと同じにされた幅広連続用紙を、その用紙供給手段から繰り出して、前記表紙用連続用紙を接着した面と反対側における積層連続用紙の他方側の紙面に平行にした状態で前記移送方向へ移送しながら、前記糊塗布線上において前記積層連続用紙と幅広連続用紙の対向面のうちのいずれか一方に糊を塗布した後、それらの用紙を加圧して接着する幅広用紙接着工程と、前記表紙用連続用紙と積層連続用紙と幅広連続用紙とを積層してなる全積層連続用紙を移送方向における所定寸法毎に切断する切断工程と、該切断工程で切断されて作成された単位積層用紙を、前記境界線で前記幅広用紙側が内側になるように二つ折りする折曲工程とを備えていることを特徴とする二つ折り書類の製本方法。
【請求項３】
幅方向に隣接する内端縁間に所定の間隔をあけて同一平面上に並列した状態で用紙供給手段から繰り出される一対の連続用紙を、複数対、各連続用紙対の紙面を平行にした状態で連続用紙の幅方向と直角な移送方向に移送しながら、各連続用紙の内端縁に平行に沿った糊塗布線上において、隣接した連続用紙対の対向面のうちのいずれか一方に糊を塗布した後に、それらの連続用紙対同士を加圧して相互に接着することにより、連続用紙対を重ね合わせる積層工程と、前記連続用紙対の横幅寸法と同じ横幅寸法を有する表紙用連続用紙を、その用紙供給手段から繰り出して、前記積層工程を経て移送された積層連続用紙対の一方側の紙面に平行にした状態で前記移送方向へ移送しながら、前記糊塗布線上において前記積層連続用紙対と表紙用連続用紙の対向面のうちのいずれか一方に糊を塗布した後に、それらを加圧して相互に接着する表紙接着工程と、前記表紙用連続用紙の横幅寸法と同じ横幅寸法を有する幅広連続用紙を、その用紙供給手段から繰り出して、表紙用連続用紙を接着した面と反対側における連続用紙対の他方側の紙面に平行にした状態で前記移送方向へ移送しながら、前記糊塗布線上において前記連続用紙対と幅広連続用紙の対向面のうちのいずれか一方に糊を塗布した後、それらの用紙を加圧して接着する幅広用紙接着工程と、前記表紙用連続用紙と積層連続用紙と幅広連続用紙とを積層してなる全積層連続用紙を移送方向における所定寸法毎に切断する切断工程と、該切断工程で切断されて作成された単位積層用紙を、前記境界線で前記幅広用紙側が内側になるように二つ折りする折曲工程とを備えていることを特徴とする二つ折り書類の製本方法。
【請求項４】
前記積層工程と表紙接着工程と幅広用紙接着工程において、前記表紙用連続用紙と連続用紙と幅広連続用紙の各外端縁側を糊で仮止めし、前記切断工程の前に、前記仮止め位置より内側の位置で全積層連続用紙を前記移送方向と平行な方向に切断することを特徴とする請求項２または３に記載の二つ折り書類の製本方法。
【発明の詳細な説明】
【技術分野】
【０００１】
本発明は、保険約款、会社定款等の帳票、その他の印刷書面を複数枚重ねて作成された二つ折り書類およびその製本方法に関する。
【背景技術】
【０００２】
従来、この種の二つ折り書類の製本方法として、用紙の折り込み線上に適当な間隔をおいて配置された任意の大きさ、形状の穴を設け、同様に作成した穴付き折り込み用紙を、前記穴の位置が一致するようにして所要枚数だけ重ね合わせ、この積層化した用紙の穴で形成された貫通孔の内壁に糊層部を設け、この糊層部を介して隣接する用紙同士を固定すると共に、前記用紙の表裏の少なくとも一側面に表紙を取り付けた後に、この書類束を前記折り込み線に従って折り込むようにして構成された二つ折り書類およびその製本方法が知られている（例えば、特許文献１参照。）。また、折り込み線上に複数の任意形状の貫通孔を形成した用紙に、その折り込み線に沿って接着用糊を塗布し、重ね合わせる用紙の各貫通孔が重ならないようにして用紙を接着してなる二つ折り書類およびその製本方法が知られている（例えば、特許文献２参照）。
【特許文献１】特許第３１８５０２４号公報（第２頁、第３頁、図４〜図１０）
【特許文献２】特開２００２−２９１７６号公報（図４〜図８）
【発明の開示】
【発明が解決しようとする課題】
【０００３】
しかしながら、上記従来の二つ折り書類およびその製本方法は、前、後者のいずれも、用紙がその折り込み線上で貫通孔の無いの部分同士で用紙の枚数だけ重ね合わせられる個所が生じるために、重ね合わせ用紙を折り曲げる際に、前記貫通孔の無い重ね合わせ個所において折り曲げ抵抗が生じて、用紙を折り込み線に沿って円滑に折り曲げることが難しく、二つ折り部分の厚みが均等にならず、書類の整列、保管等を整然と行えないおそれがあった。
【０００４】
本発明は、上記事情に鑑みてなされたものであって、複数の重ね合わせ用紙を接着して、用紙の折り込み線に沿って二つ折りしてなる書類を容易に製本することができると共に、折り曲げ部分における書類の厚さを均等に仕上げることができる二つ折り書類およびその製本方法を提供することを目的とする。
【課題を解決するための手段】
【０００５】
本発明は、前記課題を解決するために、以下の点を特徴としている。
すなわち、請求項１に係る二つ折り書類は、横幅が２ページ分の大きさを有し、幅方向中央の境界線で二つ折り可能とされた表紙を備え、該表紙の内面における前記境界線の両側に、横幅が１ページ分より所定寸法だけ小さい複数枚の単位用紙が、それらの幅方向の内端縁を前記境界線より外側方向へ所定距離だけ離した状態で配置され、かつ前記内端縁側部分と前記表紙および内端縁側部分同士を相互に糊付けして重ね合わせられると共に、横幅が２ページ分の大きさを有する幅広用紙が、前記境界線の両側に配置された単位用紙の上に重ね合わせられて、前記単位用紙の内端縁側部分で該単位用紙に糊付けされており、前記境界線で前記幅広用紙側が内側になるように二つ折りすることにより冊子として構成されたことを特徴としている。
【０００６】
この二つ折り書類においては、重ね合わせ用紙を二つ折りして冊子とする際、前記境界線上で二つ折りされる用紙の枚数が表紙と幅広用紙の枚数だけであり、重ね合わせ用紙の全てを折り曲げる必要がなく、しかも、前記境界線上には糊が塗布されていないので、折り曲げ抵抗が少なくて二つ折り加工が容易に行えると共に、折り曲げ部分における冊子の厚さが境界線に沿って均等に仕上げられる。
【０００７】
請求項２に係る二つ折り書類の製本方法は、所定の横幅寸法を有する複数枚の連続用紙を個々の用紙供給手段から繰り出して、各紙面を平行にした状態で連続用紙の幅方向と直角な移送方向へ移送しながら、各連続用紙の幅方向の中央を境界線としてその両側の近接部に平行に沿った糊塗布線上において、隣接した連続用紙同士の対向面のうちのいずれか一方に糊を塗布した後に、それらを加圧して相互に接着することにより連続用紙を重ね合わせる積層工程と、該積層工程で重ね合わせてなる積層連続用紙を移送しながら前記境界線に沿って両側に２分割する分割工程と、該分割工程で分割された各積層連続用紙の内端縁間に所定間隔があくように、各積層連続用紙を移送しながらそれぞれ幅方向の外側へ移動させる幅寄せ工程と、横幅寸法が前記連続用紙のそれより所定量だけ大きくされた表紙用連続用紙を、その用紙供給手段から繰り出して、前記幅寄せ工程を経て移送された各積層連続用紙の一方側の紙面に平行にした状態で前記移送方向へ移送しながら、前記糊塗布線上において前記積層連続用紙と表紙用連続用紙の対向面のうちのいずれか一方に糊を塗布した後に、それらを加圧して相互に接着する表紙接着工程と、横幅寸法が前記表紙用連続用紙のそれと同じにされた幅広連続用紙を、その用紙供給手段から繰り出して、前記表紙用連続用紙を接着した面と反対側における積層連続用紙の他方側の紙面に平行にした状態で前記移送方向へ移送しながら、前記糊塗布線上において前記積層連続用紙と幅広連続用紙の対向面のうちのいずれか一方に糊を塗布した後、それらの用紙を加圧して接着する幅広用紙接着工程と、前記表紙用連続用紙と積層連続用紙と幅広連続用紙とを積層してなる全積層連続用紙を移送方向における所定寸法毎に切断する切断工程と、該切断工程で切断されて作成された単位積層用紙を、前記境界線で前記幅広用紙側が内側になるように二つ折りする折曲工程とを備えていることを特徴としている。
【０００８】
この二つ折り書類の製本方法においては、積層工程で複数枚の連続用紙が互いに紙面を平行にして移送されながら、隣接した連続用紙同士がそれらの幅方向中央の境界線の両側における糊塗布線に沿った糊付けにより接着されて重ね合わされ、この重ね合わせにより作成された積層連続用紙が分割工程で前記境界線で幅方向で２つに分割され、この分割された各積層連続用紙が幅寄せ工程でそれらが幅方向の外側へ所定距離だけ移動される。そして、表紙接着工程で前記幅寄せ工程を経て互いの内端縁間に所定間隔をあけられた各積層連続用紙の一方側の紙面に、表紙用連続用紙が前記糊塗布線に沿った糊付けにより接着される。さらに、幅広用紙接着工程で各積層連続用紙における表紙用連続用紙と反対側の紙面に幅広連続用紙が前記糊塗布線に沿った糊付けにより接着された後に、前記表紙用連続用紙と積層連続用紙と幅広連続用紙とが積層してなる全積層連続用紙を、切断工程でそれらの移送方向における所定寸法毎に切断し、この切断された単位積層用紙を折曲工程で幅広用紙側を内側にして前記境界線で折り曲げることにより、二つ折り書類としての冊子が製造される。
この二つ折り書類の製本方法によれば、複数の連続用紙、表紙用連続用紙および幅広連続紙が移送されながら合理的に重ね合わせられて二つ折り書類が製造されると共に、複数の連続用紙がそれぞれ書類の製造工程の途中まで各１枚の連続用紙として移送されので、その移送が円滑、安定して行われて、それらの連続用紙の糊付け、接着も確実に行われる。また、複数の連続用紙と幅広連続用紙には、予め、二つ折り書類の製本後のページ合わせを考慮して各連続用紙と幅広連続紙に印刷を施しておくことにより、各連続用紙や幅広連続紙の各用紙供給手段への組み合わせが簡単に行える。
【０００９】
請求項３に係る二つ折り書類の製本方法は、幅方向に隣接する内端縁間に所定の間隔をあけて同一平面上に並列した状態で用紙供給手段から繰り出される一対の連続用紙を、複数対、各連続用紙対の紙面を平行にした状態で連続用紙の幅方向と直角な移送方向に移送しながら、各連続用紙の内端縁に平行に沿った糊塗布線上において、隣接した連続用紙対の対向面のうちのいずれか一方に糊を塗布した後に、それらの連続用紙対同士を加圧して相互に接着することにより、連続用紙対を重ね合わせる積層工程と、前記連続用紙対の横幅寸法と同じ横幅寸法を有する表紙用連続用紙を、その用紙供給手段から繰り出して、前記積層工程を経て移送された積層連続用紙対の一方側の紙面に平行にした状態で前記移送方向へ移送しながら、前記糊塗布線上において前記積層連続用紙対と表紙用連続用紙の対向面のうちのいずれか一方に糊を塗布した後に、それらを加圧して相互に接着する表紙接着工程と、前記表紙用連続用紙の横幅寸法と同じ横幅寸法を有する幅広連続用紙を、その用紙供給手段から繰り出して、表紙用連続用紙を接着した面と反対側における連続用紙対の他方側の紙面に平行にした状態で前記移送方向へ移送しながら、前記糊塗布線上において前記連続用紙対と幅広連続用紙の対向面のうちのいずれか一方に糊を塗布した後、それらの用紙を加圧して接着する幅広用紙接着工程と、前記表紙用連続用紙と積層連続用紙と幅広連続用紙とを積層してなる全積層連続用紙を移送方向における所定寸法毎に切断する切断工程と、該切断工程で切断されて作成された単位積層用紙を、前記境界線で前記幅広用紙側が内側になるように二つ折りする折曲工程とを備えていることを特徴としている。
【００１０】
この二つ折り書類の製本方法においては、積層工程で一対の連続用紙が、複数対、互いに紙面を平行にして移送されながら、隣接した連続用紙対同士がそれらの幅方向の両内端縁における糊塗布線に沿った糊付けにより接着されて重ね合わされ、表紙接着工程で前記重ね合わせにより作成された積層連続用紙対の一方側の紙面に、表紙用連続用紙が前記糊塗布線に沿った糊付けにより接着される。さらに、幅広用紙接着工程で各積層連続用紙対における表紙用連続用紙と反対側の紙面に幅広連続用紙が前記糊塗布線に沿った糊付けにより接着された後に、前記表紙用連続用紙と積層連続用紙対と幅広連続用紙とがこの順に積層されてなる全積層連続用紙を、切断工程でそれらの移送方向における所定寸法毎に切断し、この切断された単位積層用紙を折曲工程で幅広用紙側を内側にして前記境界線で折り曲げることにより、二つ折り書類としての冊子が製造される。
この二つ折り書類の製本方法によれば、請求項１に係る二つ折り書類の製本方法と同様に、複数の連続用紙、表紙用連続用紙および幅広連続用紙が移送されながら合理的に重ね合わされて二つ折り書類が製造されると共に、予め２つに分割されている連続用紙が、それぞれの用紙供給手段から繰り出されて移送されるので、その移送の途中で積層連続用紙を２つに分割する必要がなく、二つ折り書類の製造工程に積層連続用紙の分割工程と分割された積層連続用紙を幅方向外側へ移動させる幅寄せ工程が不要となり、二つ折り書類の製造工程が簡略されて二つ折り書類の製本が円滑、迅速に行われると共に、製造設備が簡単になり、その所要設置面積が小さくて済む。
【００１１】
請求項４に係る二つ折り書類の製本方法は、請求項２または３に記載の製本方法において、前記積層工程と表紙接着工程と幅広用紙接着工程において、前記表紙用連続用紙と連続用紙と幅広連続用紙の各外端縁側を糊で仮止めし、前記切断工程の前に、前記仮止め位置より内側の位置で全積層連続用紙を前記移送方向と平行な方向に切断することを特徴としている。
二つ折り書類の製本方法においては、前記表紙用連続用紙と連続用紙と幅広連続用紙の各外端縁側が糊で仮止めされているので、各用紙が移送方向へ移送中、外端縁部が折り曲げられたり、ずれることなく、整然として円滑に移送され、各工程における加工が円滑、正確に行える。
【発明の効果】
【００１２】
本発明によれば、以下の優れた効果を奏する。
請求項１に係る二つ折り書類によれば、重ね合わせ用紙を二つ折りして冊子とする際、重ね合わせ用紙の中央の境界線上で二つ折りされる用紙の枚数が表紙と幅広用紙の枚数だけであり、重ね合わせ用紙の全てを折り曲げる必要がなく、しかも、前記境界線上には糊が塗布されていないので、折り曲げ抵抗が少なくて二つ折り加工を容易に行うことができると共に、折り曲げ部分における冊子の厚さを前記境界線に沿って均等に仕上げることができる。
【００１３】
請求項２に係る二つ折り書類の製本方法によれば、複数の連続用紙、表紙用連続用紙および幅広連続紙を移送しながら合理的に重ね合わせて二つ折り書類を製造することができると共に、複数の連続用紙をそれぞれ書類の製造工程の途中まで各１枚の連続用紙として移送するので、その移送を円滑、安定して行うことができて、それらの連続用紙の糊付け、接着も確実に行うことができる。また、複数の連続用紙と幅広連続紙には、予め、二つ折り書類の製本後のページ合わせを考慮して各連続用紙と幅広連続紙に印刷を施しておくことにより、各連続用紙や幅広連続用紙の各用紙供給手段への組み合わせを簡単に行うことができる。
【００１４】
請求項３に係る二つ折り書類の製本方法によれば、請求項１に係る二つ折り書類の製本方法と同様に、複数の連続用紙、表紙用連続用紙および幅広連続用紙を移送しながら合理的に重ね合わせて二つ折り書類を製造することができると共に、予め２つに分割されている連続用紙が、それぞれの用紙供給手段から繰り出されて移送されるので、その移送の途中で積層連続用紙を２つに分割する必要がなく、二つ折り書類の製造工程に積層連続用紙の分割工程と分割された連続用紙を幅方向外側へ移動させる幅寄せ工程が不要となり、二つ折り書類の製造工程を簡略にして二つ折り書類の製本を円滑、迅速に行うことができると共に、製造設備が簡単になり、その所要設置面積を小さくすることができる。
【００１５】
請求項４に係る二つ折り書類の製本方法によれば、前記表紙用連続用紙と連続用紙と幅広連続用紙の各外端縁側が糊で仮止めされているので、各用紙を移送方向へ移送中、外端縁部が折り曲げられたり、ずれることなく、整然として円滑に移送させることができ、各工程における加工を円滑、正確に行うことができる。
【発明を実施するための最良の形態】
【００１６】
以下、本発明に一実施の形態に係る二つ折り書類ついて、図面にもとづいて説明する。
図１、図２において、１は本発明に一実施の形態に係る二つ折り書類である。この二つ折り書類１は、横幅ｗが２ページ分の大きさを有し、幅方向中央の境界線（折り込み線）Ｃで二つ折り可能とされた表紙２を備えている。該表紙２は前記境界線Ｓの一方側（例えば図１で右側）が表表紙２ａとされ、他方側（図１で左方側）が背表紙２ｂとされている。表紙２の内側となる紙面２ｃには、前記境界線Ｓの両側（表表紙２ａ側と背表紙２ｂ側）に位置し、横幅が１ページ分より所定寸法ｅ／２だけ小さい単位用紙３，３が、それぞれ複数枚重ね合わせて配置されて設けられている。各単位用紙３，３は、その幅方向の外端縁３ａ，３ａを前記表紙２の外端縁２ｄ，２ｄに位置を合わせられ、内端縁３ｂ，３ｂを前記境界線Ｓより外側へ所定距離ｅ／２だけ離され、内端縁３ｂ，３ｂの相互間に所定間隔ｅがあけられた状態とされている。そして、前記各単位用紙３，３の内端縁３ｂ，３ｂ側部と前記表紙２およびは内端縁３ｂ，３ｂ側同士は、該内端縁３ｂ，３ｂに沿った糊塗布線Ｓ１，Ｓ１上に塗布された糊４，４により相互に糊付けにより接着されている。
【００１７】
さらに、横幅ｗが２ページ分の大きさを有する幅広用紙５が、１枚または複数枚、前記表紙２と反対側面において、前記境界線Ｓの両側に配置された各単位用紙３，３の上に重ね合わせられて、前記糊塗布線Ｓ１，Ｓ１上で、前記単位用紙３，３の内端縁３ｂ，３ｂの部分に糊付けされ、かつ幅広用紙５同士で相互に糊付けされている。このように重ね合わせられた表紙２と単位用紙３，３と広幅用紙５は、前記境界線Ｓで前記幅広用紙側５が内側になるように折り曲げられて二つ折りすることにより冊子として構成される。なお、各単位用紙３と各広幅用紙５の表裏には、保険約款、会社定款等の文章が印刷されており、所定位置に、表表紙２ａ側から順にページが付されている。
このように構成された二つ折り書類１は、重ね合わせ用紙（表紙２，単位用紙３、広幅用紙５）を二つ折りして冊子とする際、前記境界線Ｓ上で二つ折りされる用紙の枚数が表紙２と幅広用紙５の枚数だけであり、重ね合わせ用紙の全てを折り曲げる必要がなく、しかも、前記境界線Ｓ上には糊４，４が塗布されていないので、折り曲げ抵抗が少なくて二つ折り加工が容易に行えると共に、折り曲げ部分における冊子の厚さが境界線Ｓに沿って均等に仕上げられる。
【００１８】
次に、前記のように構成された二つ折り書類を製造するために適用される本発明の第１の二つ折り書類の製本方法について図３〜図６を参照して説明する。
先ず、本発明の第１の実施の形態に係る二つ折り書類の製本方法の実施に使用する製本ラインについて説明する。
図３において、１０は二つ折り書類を製造する製本ラインである。この製本ライン１０には、前記二つ折り書類１の単位用紙３を作成するための複数枚の連続用紙１１を供給する用紙供給・積層ステーション１０Ａ，前記連続用紙１１を幅方向において２分割し、かつ分割した連続用紙を幅方向にシフト（移動）する分割ステーション１０Ｂ、前記表紙２を作成するための表紙用連続用紙１２を供給する表紙供給ステーション１０Ｃ、前記幅広用紙を作成するための幅広連続用紙１３を供給する幅広用紙供給ステーション１０Ｄ、前記連続用紙１１，表紙用連続紙１２および幅広連続用紙１３が重ね合わされてなる全積層連続用紙１４の幅方向ｘの両端部を幅方向に直角な用紙の移送方向ｙに沿う面で切断する用紙幅調整ステーション１０Ｅ、該用紙幅調整ステーション１０Ｅで切断した全積層連続用紙１４を幅方向ｘに沿う方向の面で切断する切断ステーション１０Ｆが、それぞれ上記の順に二つ折り書類の製造工程の上流側（図３で右側）から下流側（図３で左側）に向けて前記移送方向ｙに沿って配置されている。
前記切断ステーション１０Ｆの下流側には、図３には示しないが、前記切断ステーションで１０Ｆで切断された単位積層用紙１９をその幅方向の中央で二つ折りにする折り曲げステーション２０（図５（ｂ）参照）が配置されている。前記製本ライン１０には、前記各用紙１１，１２，１３，１４を前記移送方向ｙに沿った移送面Ｌに紙面同士を平行にした状態で上流側から下流側へ移送するためのベルトコンベヤ、案内ローラ等からなる搬送手段１５が設けられている。
【００１９】
前記連続用紙１１は、図４〜図６に示すように、二つ折り書類１の単位用紙３を幅方向に２つ分有し、かつ両外端部側に前記搬送手段１５に係合するラインホール（送り孔）ｈ，ｈを設けた側縁部ｇ，ｇを有し、この対をなす単体用紙３，３が前記移送方向ｙに複数枚連続的に連なったものである。
前記用紙供給・積層ステーション１０Ａには、各単位用紙３，３に対応して所定の文章を印刷した複数の連続用紙１１ａ，１１ｂ，１１ｃ，・・・１１ｇをそれぞれロールに巻き掛けてなる複数の用紙供給手段１１Ａ，１１Ｂ，１１Ｃ，・・・、１１Ｇが、各連続用紙１１ａ，１１ｂ，・・・を図３において下から上に順に重ね合わせたときに前記単位用紙３，３が所定の順序になるように、前記移送方向ｙに沿って順に上流側から下流側に向けて順に配置され、各用紙供給手段１１Ａ，１１Ｂ，・・・から図３で下方に垂直状に繰り出される前記各連続用紙１１ａ，１１ｂ，・・・はローラ等（図示せず）に案内されて水平な用紙の移送面Ｌに沿って互いに上下に平行を維持して下流側へ移送されるようになっている。各連続用紙１１ａ，１１ｂ，・・・の垂直状の繰り出し部１１ｚにおいて前記移送方向ｙ側に向いた紙面に対して反対側の紙面（背面）側には、各連続用紙１１ａ，１１ｂ，・・・の幅方向ｘの中央の境界線Ｓから所定距離だけ両外側へ寄った位置の前記糊塗布線Ｓ１，Ｓ１に対向して、糊塗布ノズル（図示せず）が配置され、各糊塗布線Ｓ１，Ｓ１に沿って各連続用紙１１ａ，１１ｂ，・・・の背面に前記糊塗布ノズルから吐出される糊が塗布され、糊が塗布された隣接の連続用紙１１ａ，１１ｂ，・・・は、移送方向ｙに沿って配置された対向する加圧ロール（図示せず）等によって相互に圧着（接着）されるようになっている。
【００２０】
前記分割ステーション１０Ｂには、前記移送方向ｙに刃面方向を向け、前記連続紙１１の紙面に垂直にした状態で上下一対の回転式のカッター１６，１６が設けられ、前記用紙供給・積層ステーション１０Ａで積層された積層連続用紙を１１ｎを切断して幅方向に２分割すると共に、この２分割された左右両側の積層連続用紙１１ｎ，１１ｎを、その分割個所の下流側から徐々に幅方向の外側へシフト（移動）させる案内移動手段（図示せず）が設けられている。
また、前記表紙供給ステーション１０Ｃには、表紙用連続用紙１２をロールに巻き掛けてなる表紙供給手段１２Ａが前記移送面Ｌの下方位置に配置され、前記表紙用連続用紙１２を下方から上方へ垂直状に繰り出して、前記移送面Ｌにおいて前記積層連続用紙１１ｎ，１１ｎの下面に平行にした状態で移送方向ｙへ移送するようになっている。そして、前記表紙用連続紙１２の幅方向の中心から所定距離ｅ／２だけ両外側方向へ離れた位置（２分割されて幅方向にシフトした積層連続用紙１１ｎ，１１ｎの糊塗布線Ｓ１，Ｓ１と同じ位置）において、前記表紙用連続用紙１２の背面（図３で右側の面）に対向して一対の糊塗布ノズル（図示せず）が配置され、各糊塗布線Ｓ１，Ｓ１上に糊４，４が糊塗布ノズルから吐出されて塗布され、前記積層連続用紙１１ｎ，１１ｎの下面に表紙用連続用紙１２が両用紙１１ｎ，１２を挟むように配置した加圧ロール（図示せず）等によって圧着（接着）するようになっている。
前記表紙用連続用紙１２は、二つ折り書類１の表紙２の横幅に、前記単位用紙３の両外端部側に設けたものと同様なラインホールを有する側縁部ｇ，ｇを加えた横幅を有する用紙からなる単位表紙が前記移送方向ｙに複数枚連続的に連なったものである。
【００２１】
また、前記幅広用紙供給・積層ステーション１０Ｄは、供給する用紙の幅寸法が異なる点を除いて前記用紙供給・積層ステーション１０Ａとほぼ同様な構成となっている。
すなわち、前記幅広用紙５に対応して所定の文章を印刷した複数の幅広連続用紙１３ａ，１３ｂ，１３ｃ，・・・１１ｆをそれぞれロールに巻き掛けてなる複数の幅広用紙供給手段１３Ａ，１３Ｂ，１３Ｃ，・・・、１１Ｆが、各幅広連続用紙１３ａ，１３ｂ，・・を図３において下から上に順に重ね合わせたときに前記幅広用紙５，５・・・が所定の順序になるように、前記移送方向ｙに沿って順に上流側から下流側に向けて前記移送面Ｌの上方位置に配置され、各幅広用紙供給手段１３Ａ，１３Ｂ，・・・から図３で下方に垂直状に繰り出される前記各幅広連続用紙１３ａ，１３ｂ，・・・はローラ等（図示せず）に案内されて前記移送面Ｌに沿って互いに上下に平行を維持し、かつ前記積層連続用紙１１ｎ，１１ｎの上側において下流側へ移送されるようになっている。各幅広連続用紙１３ａ，１３ｂ，・・・の繰り出し部１３ｚにおいて移送方向ｙ側に向いた紙面と反対側の紙面（背面）側には、各幅広連続用紙１３ａ，１３ｂ，・・・の幅方向ｘの中央の境界線Ｓの所定距離だけ両外側へ寄った位置（２分割されて幅方向にシフトした積層連続用紙１１ｎ，１１ｎの糊塗布線Ｓ１，Ｓ１と同じ位置）の糊塗布線Ｓ１，Ｓ１に対向して、糊塗布ノズル（図示せず）が配置され、各糊塗布線Ｓ１，Ｓ１に沿って各連続用紙１３ａ，１３ｂ，・・・の背面に沿って前記糊塗布ノズルから吐出される糊が塗布され、糊が塗布された隣接の幅広連続用紙１３ａ，１３１ｂ，・・・は、移送面Ｌに沿って配置された対向する加圧ロール（図示せず）等によって相互に圧着（接着）されると共に、最下位の幅広連続用紙１３ａと積層連続用紙１１ｎ，１１ｎの最上位の連続用紙１１ｇが圧着されるようになっている。
【００２２】
前記用紙供給・積層ステーション１０Ａ、表紙用紙供給ステーション１０Ｃおよび幅広用紙供給・積層ステーション１０Ｄには、前記連続用紙１１ａ，・・・、表紙用連続用紙１２、幅広連続用紙１３ａ，・・・の各外端側の側縁部ｇ，ｇと前記単体用紙３，３の両外端、前記表紙２の両外端、前記幅広用紙５の両外端との境界線である切断ラインＳ２，Ｓ２の外側に沿った位置に、前記糊塗布線Ｓ１，Ｓ１に糊４，４を塗布するものと同様な糊塗布ノズル（図示せず）が配置されており、前記切断ラインＳ２，Ｓ２の外側に沿った塗布ライン上において、連続用紙１１ａ，・・・と幅広連続用紙１３ａ，・・・が、それぞれ、例えば１枚おき毎に隣接するもの同士で糊塗布ノズルから吐出される糊１７，１７により仮付けされ、また、同様に、最下位の連続用紙１１ａと表紙用連続紙１２が糊１７で仮付され、最上位の連続用紙１１ｇと最下位の幅広連続紙１３ａとが糊１７，１７で仮付されるようになっている。
なお、前記用紙供給・積層ステーション１０Ａ、表紙用紙供給ステーション１０Ｃおよび幅広用紙供給・積層ステーション１０Ｄにおける各連続用紙供給手段１１Ａ，・・・、表紙用連続用紙供給手段１２Ａおよび幅広連続用紙供給手段１３Ａ，・・・には、それらに収納された連続用紙１１ａ、・・・、表紙用連続用紙１２および幅広連続用紙１３ａ，・・・が空になったときのために、用紙の満たされた予備の各連続用紙供給手段１１Ａ，・・・、表紙用連続用紙供給手段１２Ａおよび幅広連続用紙供給手段１３Ａが近くに用意されており、これらを空のものと自動的に交換して製本ライン１０に用紙を補充できるようになっている。
【００２３】
また、前記用紙幅調整ステーション１０Ｅには、前記分割ステーション１０Ｂの回転式のカッター１６，１６と同様な回転式の上下一対のカッター１８，１８が左右に一対ずつ、前記移送方向ｙに刃面方向を向け、前記連続用紙１１の紙面に垂直にした状態で設けられ、前記積層連続用紙１４を前記切断ラインＳ２，Ｓ２に沿って切断して、積層連続紙１４から両側縁部ｇ，ｇを切り離すようになっている。
また、前記切断ステーション１０Ｆは、図示しないが、積層連続用紙１４の幅方向ｘに沿う方向に刃面方向を一致させて互いに該刃面を対向させた切断手段を備え、前記積層連続用紙を前記移送方向ｙの所定長さ（前記二つ折り書類１の縦寸法）毎に切断して、単位積層用紙１９とするようになっている。
さらに、前記折り曲げステーション１０Ｇは、図５（ｂ）に示すように、Ｖ字状凸部を有する加圧ブロック２０ａと、Ｖ字状凹溝を有する受圧ブロック２０ｂとを、それぞれ上下に配設したプレス２０を備え、加圧ブロック２０ａと受圧ブロック２０ｂとで前記単位積層用紙１９を、その表紙２側を下（受圧ブロック側）にし、その幅方向中央の境界線Ｓ上で加圧することにより、幅広用紙５側が内側になるように折り曲げるようになっている。
【００２４】
次に、前記製本ライン１０によって実施する第１の実施の形態に係る書類の製本方法について説明する。
前記用紙供給・積層ステーション１０Ａにおいて、複数枚の連続用紙１１ａ，１１ｂ，１１ｃ，・・・を、それらに対応して設けた個々の用紙供給手段１１Ａ，１１Ｂ，１１Ｃ，・・・の移送方向ｙにおける上流側のものから順次移送面Ｌに繰り出して、先に繰り出したものが次位に繰り出したものの下になるように、かつ各紙面を平行にした状態で移送方向ｙへ移送手段１５で移送しながら、各連続用紙１１ａ，・・・の幅方向中央の境界線Ｓの両側に沿った糊塗布線Ｓ１，Ｓ１上において、隣接した連続用紙１１ａ，１１ｂ，・・・同士の対向面のうちのいずれか一方（例えば、上位側となる連続用紙１１ｂ，・・・の背面）に糊４，４を前記塗布ノズル（図示せず）で塗布した後に、それらを加圧ロール（図示せず）で加圧して相互に接着することにより、各連続用紙１１ａ，１１ｂ，・・・を図４（ａ）に示すように重ね合わせる（積層工程）。
【００２５】
そして、前記分割ステーション１０Ｂにおいて、前記積層工程で重ね合わせた連続用紙１１ａ，１１ｂ，・・・を移送方向ｙの下流側へ移送しながら、前記カッター１６，１６によって前記境界線Ｓに沿って両側に２分割し（分割工程）、該分割工程で分割された各積層連続用紙１１ｎ，１１ｎの内端縁間に所定間隔ｅがあくように、各連続用紙１１ｎ，１１ｎを移送方向ｙに移送しながら、それぞれ、図４（ｂ）に示すように幅方向（横方向）の外側へ移動させる（幅寄せ工程）。次に、前記表紙供給ステーション１０Ｃにおいて、前記表紙用連続用紙１２を、その用紙供給手段１２Ａから繰り出して、前記幅寄せ工程を経て移送された各積層連続用紙１１ｎ，１１ｎの一方側（下側）の紙面に平行にした状態で前記移送方向ｙへ移送しながら、前記糊塗布線Ｓ１，Ｓ１上において前記積層連続用紙１１ｎ，１１ｎと表紙用連続用紙１２の対向面のうちのいずれか一方（表紙用連続用紙１２の上方側となる紙面）に糊４，４を糊塗布ノズル（図示せず）で塗布した後に、図４（ｃ）に示すように、それらを加圧して相互に接着する（表紙接着工程）。
【００２６】
また、幅広用紙供給・積層ステーション１０Ｄにおいて、複数枚の幅広連続用紙１３ａ，１３ｂ，・・・を、それらの幅広用紙供給手段１３Ａ，１３Ｂ，・・・から前記移送面Ｌに順に繰り出して、前記表紙用連続用紙１２を接着した紙面と反対側における積層連続用紙１１ｎ、１１ｎの他方側の紙面（図３の例では最上位の連続用紙１１ｇの上面）に平行にした状態で移送手段１５により前記移送方向ｙへ移送しながら、図４（ｄ）に示すように、前記糊塗布線Ｓ１，Ｓ１上において、前記連続用紙１１ｎ（１１ｇ）と幅広連続用紙１３ａとの対向面および幅広用紙１３ａ，１３ｂ，・・・同士の対向面のうちのいずれか一方（図３の例では上流側の幅広用紙の背面）に糊４，４を糊塗布ノズルで塗布した後、それらの用紙を加圧して接着する（幅広用紙接着工程）。なお、前記連続供給・積層ステーション１０Ａ、表紙供給ステーション１０Ｃ、幅広用紙供給・積層ステーション１０Ｄにおいて、各用紙１１，１２，１３の内端縁部側の糊塗布線Ｓ１，Ｓ１上で糊４，４を塗布して接着する際には、並行して外端縁部ｇ，ｇ側にも糊１７，１７を塗布して用紙同士を仮付けする。
【００２７】
次に、前記用紙幅調整ステーション１０Ｅにおいて、前記表紙用連続用紙１２と積層連続用紙１１ｎと幅広連続用紙１３ａ，・・・とを積層してなる全積層連続用紙１４を、左右のカッター１８，１８で前記切断ラインＳ２，Ｓ２に沿って切断して、図５（ａ）に示すように、全積層連続用紙１４から両側縁部ｇ，ｇを切り離す（切り離し工程）。
さらに、前記切断ステーション１０Ｆにおいて、前記全連続積層用紙１４を移送方向ｙにおける所定寸法（二つ折り書類１の縦寸法）毎に切断手段（図示せず）で切断する（切断工程）。その後、折り曲げステーション１０Ｇにおいて、前記切断工程で切断されて作成された単位積層用紙１９を、図５（ｂ）に示すように、プレス２０の加圧ブロック２０ａと受圧ブロック２０ｂの間に挟んで加圧することにより、前記境界線Ｓの位置を中心にして、前記幅広連続用紙５側が内側になるように折り曲げて二つ折りする（折曲工程）。このように、各工程を経て二つ折り書類１の冊子が製造される。
【００２８】
前記第１の実施の形態に係る二つ折り書類の製本方法によれば、複数の連続用紙１１、表紙用連続紙１２および幅広連続紙１３を移送しながら合理的に重ね合わせて二つ折り書類１が製造されると共に、複数の連続用紙１１がそれぞれ二つ折り書類１の製造工程の途中まで各１枚の連続用紙１１ａ，１１ｂ，・・・として移送されるので、その移送が円滑、安定して行われて、それらの連続用紙１１の糊付け、接着も確実に行われる。また、複数の連続用紙１１と幅広連続紙１３には予め、二つ折り書類１の製本後のページ合わせを考慮して各連続用紙１１と幅広連続紙１３に印刷を施しておくことにより、各連続用紙１１や幅広連続紙１３の各用紙供給手段１１Ａ，・・・への組み合わせが簡単に行える。
また、前記表紙用連続用紙１２と連続用紙１１と幅広連続用紙１３の各外端縁部ｇ，ｇ側が糊１７，１７で仮止めされているので、各用紙が移送方向ｙへ移送中、該外端縁部ｇ，ｇが折り曲げられたり、ずれることなく、整然として円滑に移送され、各工程における加工が円滑、正確に行える。
【００２９】
次に、本発明の第２の実施の形態に係る二つ折り書類の製本方法について説明する。
この実施の形態に係る二つ折り書類の製本方法は、図７に示す製本ライン３０によって実施される。この製本ライン３０は、前記製本ライン１０が前記用紙供給・積層ステーション１０Ａの各用紙供給手段１１Ａ，１１Ｂ，・・・がそれぞれ１枚の連続用紙１１ａ，１１ｂ，・・・を移送面Ｌに供給して、分割ステーション１０Ｂで幅方向ｘにおいて２分割して、幅方向の外側へ移動させるのに対して、用紙供給ステーション１０Ａ１において、予め、前記連続用紙１１ａ，１１ｂ・・・を２分割した用紙に相当する用紙の対である連続用紙対１１ａ１，１１ａ１、１１ｂ１，１１ｂ１、１１ｃ１，１１ｃ１、・・・１１ｇ１，１１ｇ１を、それぞれに用意した連続用紙供給手段１１Ａ１，１１Ａ１、１１Ｂ１，１１Ｂ１、１１Ｃ１，１１Ｃ，・・・１１Ｇ１，１１Ｇ１から、各連続用紙対の内側縁間に所定距離ｅの間隔をあけた状態で前記移送面Ｌに繰り出して、それに沿って移送させるようにしたものであり、したがって、前記分割ステーション１０Ｂが省略されている。その他は前記製本ライン１０と同一であるので、同一の構成部分には同一の符号を付して、それらの説明は省略する。
【００３０】
前記製本ライン３０を使用して二つ折り書類を製本方法を実施する場合には、前記分割ステーション１０Ｂで行われる連続用紙１１ａ，・・・を２分割する分割工程と、該分割工程で分割した連続用紙１１ａ，１１ａ，・・・を幅方向ｘの外側へに移動させる幅寄せ工程が省略される点を除いて、同一の工程が行われて二つ折り書類１が製造される。
前記第２の実施の形態に係る二つ折り書類の製本方法によれば、前記第１の実施の形態に係る二つ折り書類の製本方法と同様に、複数の連続用紙１１、表紙用連続紙２および幅広連続紙１３を移送しながら合理的に重ね合わせて二つ折り書類が製造されると共に、予め２つに分割された連続用紙１１ａ１，１１ａ１、１１ｂ１，１１ｂ１、・・・が、それぞれの用紙供給手段１１Ａ１，１１Ａ１、１１Ｂ１，１１Ｂ１、・・・から繰り出されて移送されるので、その移送の途中で連続用紙１１を２つに分割する必要がなく、二つ折り書類１の製造工程に連続用紙１１の分割工程と分割された連続用紙１１，１１を幅向外側へ移動させる幅寄せ工程が不要となり、二つ折り書類１の製造工程が簡略されて該二つ折り書類１の製本を円滑、迅速に行われると共に、製造設備が簡単になり、その所要設置面積が小さくて済む。
【００３１】
なお、前記各実施の形態に係る二つ折り書類の製本方法においては、前記連続用紙１１，表紙用連続用紙１２，幅広連続用紙１３をそれらの紙面を水平状態にして所定の移送方向ｙへ移送するようにしたが、これに限らず、各紙面を垂直状態や任意に傾斜した状態にして移送してもよく、また、各用紙１１，１２，１３の移送方向ｙを水平方向でなく、垂直方向に移送するようにしてもよい。また、前記連続供給・積層ステーション１０Ａ、表紙供給ステーション１０Ｃ、幅広用紙供給・積層ステーション１０Ｄにおいて、移送方向ｙの下流側から繰り出される連続用紙１１および幅広連続用紙１３の背面側と表紙用連続用紙１２に糊を塗布するようにしたが、これに代えて、前記連続用紙１１および幅広連続用紙１３の表面側と積層連続用紙１１ｎの最下位の背面（図３で下面）に塗布するようにしてもよい。さらに、前記用紙供給・積層ステーション１０Ａ、表紙供給ステーション１０Ｃ、幅広用紙供給・積層ステーション１０Ｄにおいて、各用紙１１，１２，１３の外端縁部ｇ，ｇ側を糊で仮付けをし、前記用紙幅調整ステーション１０Ｅにおいて、カッター１８で前記外端縁部ｇ，ｇを切り離すようにしたが、必要に応じて、前記外端縁部ｇ，ｇを有しない連続用紙を使用することにより、各連続用紙の糊による仮付けと、前記外端縁部ｇ，ｇを切り離す用紙幅調整工程（用紙幅調整ステーション１０Ｅ）を省略することができ、製本ライン１０，２０の設備を簡略化することができる。
【図面の簡単な説明】
【００３２】
【図１】本発明の一実施の形態に係る書類を示す見開き状態の斜視図である。
【図２】同じく閉じた状態の斜視図である。
【図３】本発明の第１の実施の形態に係る書類の製本方法を示す斜視図である。
【図４】同じく製本方法における書面の積層過程（積層工程〜幅広用紙接着工程）を示す断面図である。
【図５】同じく製本方法における書面の積層過程（切り離し工程、折曲工程）を示す断面図である。
【図６】図３のＸ部における書面の積層状態を示す斜視図である。
【図７】本発明の第２の実施の形態に係る書類の製本方法を示す斜視図である。
【符号の説明】
【００３３】
１  二つ折り書類
２  表紙
３  単位用紙
３ｂ  内端縁
４，１７  糊
５  幅広用紙
１０，３０  製本ライン
１０Ａ，１０Ａ１  用紙供給ステーション
１０Ｂ  分割ステーション
１０Ｃ  表紙供給ステーション
１０Ｄ  幅広用紙供給ステーション
１０Ｅ  用紙幅調整ステーション
１０Ｆ  切断ステーション
１０Ｇ  折り曲げステーション
１１  連続用紙
１１Ａ〜１Ｇ，１１Ａ１〜１１Ｇ１  用紙供給手段
１１ｎ  積層連続用紙
１２  表紙用連続用紙
１２Ａ  表紙供給手段
１３  幅広連続用紙
１３Ａ〜１３Ｆ  幅広用紙供給手段
１４  全積層連続用紙
１６，１８  カッター
１９  単位積層用紙
２０  プレス
ｅ  所定間隔
Ｓ  境界線
Ｓ１  糊塗布線
Ｓ２  切断ライン
【図１】
2005104046.tif 000003
【図２】
2005104046.tif 000004
【図３】
2005104046.tif 000005
【図４】
2005104046.tif 000006
【図５】
2005104046.tif 000007
【図６】
2005104046.tif 000008
【図７】
2005104046.tif 000009